(57)【特許請求の範囲】
【請求項１】
印鑑と、
この印鑑の先端を覆うキャップと、
可撓弾性を有し、被吸着面に吸着保持される吸盤体と、
この吸盤体に取り付けられ、前記キャップに密着して前記キャップを捕捉する捕捉部とを備え、
この捕捉部の前記キャップの受入部の形状は、略円であり、
平面視において、前記捕捉部の前記略円の外側に前記吸盤体の外周縁部が位置している
ことを特徴とする印鑑スタンド。
【請求項２】
捕捉部内に収納されると共に、前記捕捉部で捕捉できない小さい第２のキャップに密着して前記第２のキャップを捕捉する第２の捕捉部とを備えている
ことを特徴とする請求項１記載の印鑑スタンド。
【請求項３】
捕捉部は底部と筒形状部が一体となった有底筒形状であって、前記底部と前記筒形状部に亘る開口部が設けられている
ことを特徴とする請求項１又は請求項２記載の印鑑スタンド。
【請求項４】
印鑑と、
この印鑑の先端を覆うキャップと、
可撓弾性を有し、被吸着面に吸着保持される吸盤体と、
この吸盤体の頂部に取り付けられ、前記キャップに密着して前記キャップを捕捉する捕捉部とを備え、
この捕捉部の前記キャップの受入部の形状は、略円であり、
平面視において、前記捕捉部の前記略円の外側に前記吸盤体の外周縁部が位置したものであり、
前記被吸着面の凹凸面により、前記吸盤体が前記被吸着面に吸着されにくい場合、前記印鑑が前記キャップを介して前記捕捉部に収納されている状態で、前記印鑑を前記吸盤体に向かって強く押し、前記吸盤体が扁平状態の時に、前記印鑑を前記吸盤体から遠ざかるように前記印鑑を引き上げて、前記印鑑の前記キャップを前記捕捉部に残して、前記印鑑から前記キャップを分離する
ことを特徴とする印鑑のキャップ分離方法。
【請求項５】
印鑑と、
この印鑑の先端を覆うキャップと、
可撓弾性を有し、被吸着面に吸着保持される吸盤体と、
この吸盤体の頂部に取り付けられ、前記キャップに密着して前記キャップを捕捉する捕捉部と、
この捕捉部内に収納されると共に、前記捕捉部で捕捉できない小さい第２のキャップに密着して前記第２のキャップを捕捉する第２の捕捉部とを備え、
前記捕捉部の前記キャップの受入部の形状は、略円であり、
平面視において、前記捕捉部の前記略円の外側に前記吸盤体の外周縁部が位置したものであり、
前記被吸着面の凹凸面により、前記吸盤体が前記被吸着面に吸着されにくい場合、前記印鑑が前記第２のキャップを介して前記捕捉部に収納されている状態で、前記印鑑を前記吸盤体に向かって強く押し、前記吸盤体が扁平状態の時に、前記印鑑を前記吸盤体から遠ざかるように前記印鑑を引き上げて、前記印鑑の前記第２のキャップを前記捕捉部に残して、前記印鑑から前記第２のキャップを分離する
ことを特徴とする印鑑のキャップ分離方法。
【発明の詳細な説明】
【技術分野】
【０００１】
本発明は、印鑑スタンドに係り、特に、キャップと捕捉部とが分離した印鑑スタンドに関する。
【背景技術】
【０００２】
従来、印鑑のキャップ部に吸着盤を備えた吸着機能付き印鑑キャップがある（例えば、特許文献１参照）。
これは、印鑑を使用する時には、吸着盤を机の上などの平らな部分に押し付けることにより、キャップを容易に取り外せるようにしたもので、捺印することが多い場合には、机の上などにおいて、使用するものである。
【先行技術文献】
【特許文献】
【０００３】
【特許文献１】実開平２−１２４１６１号公報
【発明の概要】
【発明が解決しようとする課題】
【０００４】
しかしながら、上述した吸着機能付き印鑑キャップにあっては、印鑑のみが必要な場合、吸着盤を付けたまま印鑑を持ち運ばねばならず、特に、吸着盤が大きくなると、キャップと一体となった吸着盤が邪魔になるという問題点があった。
【０００５】
本発明は、キャップと捕捉部とが分離した印鑑スタンドを提供することを目的とする。
【課題を解決するための手段】
【０００６】
請求項１記載の印鑑スタンドは、印鑑と、この印鑑の先端を覆うキャップと、可撓弾性を有し、被吸着面に吸着保持される吸盤体と、この吸盤体に取り付けられ、前記キャップに密着して前記キャップを捕捉する捕捉部とを備え、この捕捉部の前記キャップの受入部の形状は、略円であり、平面視において、前記捕捉部の前記略円の外側に前記吸盤体の外周縁部が位置しているものである。
【０００７】
また、請求項２記載の印鑑スタンドは、請求項１記載の印鑑スタンドにおいて、捕捉部内に収納されると共に、前記捕捉部で捕捉できない小さい第２のキャップに密着して前記第２のキャップを捕捉する第２の捕捉部とを備えているものである。
【０００８】
また、請求項３記載の印鑑スタンドは、請求項１又は請求項２記載の印鑑スタンドにおいて、捕捉部は底部と筒形状部が一体となった有底筒形状であって、前記底部と前記筒形状部に亘る開口部が設けられているものである。
【０００９】
また、請求項４記載の印鑑のキャップ分離方法は、印鑑と、この印鑑の先端を覆うキャップと、可撓弾性を有し、被吸着面に吸着保持される吸盤体と、この吸盤体の頂部に取り付けられ、前記キャップに密着して前記キャップを捕捉する捕捉部とを備え、この捕捉部の前記キャップの受入部の形状は、略円であり、平面視において、前記捕捉部の前記略円の外側に前記吸盤体の外周縁部が位置したものであり、前記被吸着面の凹凸面により、前記吸盤体が前記被吸着面に吸着されにくい場合、前記印鑑が前記キャップを介して前記捕捉部に収納されている状態で、前記印鑑を前記吸盤体に向かって強く押し、前記吸盤体が扁平状態の時に、前記印鑑を前記吸盤体から遠ざかるように前記印鑑を引き上げて、前記印鑑の前記キャップを前記捕捉部に残して、前記印鑑から前記キャップを分離するものである。
【００１０】
また、請求項５記載の印鑑のキャップ分離方法は、印鑑と、この印鑑の先端を覆うキャップと、可撓弾性を有し、被吸着面に吸着保持される吸盤体と、この吸盤体の頂部に取り付けられ、前記キャップに密着して前記キャップを捕捉する捕捉部と、この捕捉部内に収納されると共に、前記捕捉部で捕捉できない小さい第２のキャップに密着して前記第２のキャップを捕捉する第２の捕捉部とを備え、前記捕捉部の前記キャップの受入部の形状は、略円であり、平面視において、前記捕捉部の前記略円の外側に前記吸盤体の外周縁部が位置したものであり、前記被吸着面の凹凸面により、前記吸盤体が前記被吸着面に吸着されにくい場合、前記印鑑が前記第２のキャップを介して前記捕捉部に収納されている状態で、前記印鑑を前記吸盤体に向かって強く押し、前記吸盤体が扁平状態の時に、前記印鑑を前記吸盤体から遠ざかるように前記印鑑を引き上げて、前記印鑑の前記第２のキャップを前記捕捉部に残して、前記印鑑から前記第２のキャップを分離するものである。
【発明の効果】
【００１１】
請求項１記載の印鑑スタンドによれば、印鑑の先端を覆うキャップと該キャップを捕捉する捕捉部とをそれぞれ別個に形成しているため、印鑑の使用用途に応じて、例えば、捺印することが多い場合には、印鑑スタンドに印鑑を装着して使用し、また、印鑑のみが必要な場合、吸盤体を被吸着面に残したまま、先端をキャップで覆った印鑑のみを持ち運ぶことができ、
特に、印鑑を安定して立設するのみならず、被吸着面の凹凸により吸盤体が被吸着面に吸着されにくい場合にも対応できるように、平面視において、捕捉部の略円より吸盤体の外周縁部がなす形状を大きく構成しても、キャップと捕捉部とを分離できるため、持ち運びに支障を生じない。
即ち、被吸着面の凹凸により吸盤体が被吸着面に吸着されにくい場合、平面視において、捕捉部の略円より吸盤体の外周縁部がなす形状を大きく構成しているため、印鑑を吸盤体に向かって強く押し、前記吸盤体が扁平状態の時に、前記印鑑を前記吸盤体から遠ざかるように前記印鑑を引き上げると瞬間的に吸盤効果が得られ、前記印鑑の前記キャップを前記捕捉部に残して、前記印鑑から前記キャップを分離することができる。
また、平面視において、捕捉部の略円より吸盤体の外周縁部がなす形状を大きく構成したことにより、被吸着面の凹凸が大きく全く吸着しない面（例えば、白木の机）に置いても、倒れにくい印鑑スタンドとして機能を発揮することができる。
【００１２】
また、請求項２記載の印鑑スタンドによれば、上述した請求項１記載の発明の効果に加え、捕捉部で捕捉できない小さい第２のキャップに密着して前記第２のキャップを捕捉する第２の捕捉部とを備えているため、捕捉部で捕捉できるキャップを有した印鑑のみならず、捕捉部で捕捉できない小さい第２のキャップを有した印鑑にも適用することができる。
【００１３】
また、請求項３記載の印鑑スタンドによれば、上述した請求項１又は請求項２記載の発明の効果に加え、捕捉部は底部と筒形状部が一体となった有底筒形状であって、前記底部と前記筒形状部に亘る開口部が設けられているため、捕捉部に捕捉されたキャップを開口部を介して、例えば、捕捉部内に棒状部材を挿入して、捕捉部からキャップを容易に離脱させることができる。また、捕捉部に捕捉された第２の捕捉部を開口部を介して、例えば、捕捉部内に棒状部材を挿入して、捕捉部から第２の捕捉部を容易に離脱させることができる。
【００１４】
また、請求項４記載の印鑑のキャップ分離方法によれば、被吸着面の凹凸面により、吸盤体が前記被吸着面に吸着されにくい場合、印鑑がキャップを介して捕捉部に収納されている状態で、前記印鑑を前記吸盤体に向かって強く押し、前記吸盤体が扁平状態の時に、前記印鑑を前記吸盤体から遠ざかるように前記印鑑を引き上げると瞬間的に吸盤効果が得られ、印鑑のキャップを捕捉部に残して、印鑑からキャップを分離することができる。
【００１５】
また、請求項５記載の印鑑のキャップ分離方法によれば、吸盤体が被吸着面に吸着されにくい場合、印鑑が第２のキャップを介して捕捉部に収納されている状態で、前記印鑑を前記吸盤体に向かって強く押し、前記吸盤体が扁平状態の時に、前記印鑑を前記吸盤体から遠ざかるように前記印鑑を引き上げると瞬間的に吸盤効果が得られ、印鑑の第２のキャップを捕捉部に残して、印鑑から第２のキャップを分離することができる。
【図面の簡単な説明】
【００１６】
【図１】図１は、本発明の一実施例の印鑑スタンドの概略的断面図である。
【図２】図２は、図１の印鑑スタンドを分解して示す概略的分解斜視図である。
【図３】図３は、図１の捕捉部の開口部側から見た概略的平面図である。
【図４】図４（ａ）（ｂ）は、図１の印鑑スタンドの使用状態を示す概略的断面図であり、図４（ａ）は印鑑のキャップを捕捉部に挿入する前の状態、図４（ｂ）は、捕捉部に印鑑のキャップ挿入した後、矢印方向へ印鑑を引き上げ、キャップを捕捉部に残して、印鑑からキャップを分離した状態をそれぞれ示している。
【図５】図５は、図４（ｂ）に示した捕捉部に残存したキャップを棒状部材を使って分離する状態を示す概略的断面図である。
【図６】図６（ａ）（ｂ）（ｃ）（ｄ）は、凹凸がある被吸着面における印鑑からキャップを分離する状態を示す印鑑スタンドの概略的断面図である。
【図７】図７は、図１の印鑑より小さい印鑑に最適な実施例を示す概略的断面図である。
【図８】図８は、図７の印鑑スタンドを分解して示す概略的分解斜視図である。
【図９】図９（ａ）（ｂ）は、図７の印鑑スタンドの使用状態を示す概略的断面図であり、図９（ａ）は印鑑のキャップを第２の捕捉部に挿入する前の状態、図９（ｂ）は、印鑑のキャップを第２の捕捉部に挿入した後、矢印方向へ印鑑を引き上げ、キャップを第２の捕捉部に残して、印鑑からキャップを分離した状態をそれぞれ示している。
【図１０】図１０は、図９（ｂ）に示した第２の捕捉部に残存したキャップを棒状部材を使って分離する状態を示す概略的断面図である。
【図１１】図１１（ａ）（ｂ）（ｃ）（ｄ）は、凹凸がある被吸着面における印鑑スタンドの使用例を示すもので、印鑑からキャップが分離する過程の概略的断面図である。
【図１２】図１２（ａ）（ｂ）は、図７の印鑑より小さい印鑑の印鑑スタンドの使用例を示す概略的断面図であり、図１２（ａ）は印鑑のキャップを第２の捕捉部に設けた第３の捕捉部に挿入する前の状態、図１２（ｂ）は、印鑑のキャップを第３の捕捉部に挿入した後、矢印方向へ印鑑を引き上げ、キャップを第３の捕捉部に残して、印鑑からキャップを分離した状態をそれぞれ示している。
【発明を実施するための形態】
【００１７】
本発明の一実施例の「キャップ及び印鑑のキャップ分離方法」を図面を参照して説明する。
図１及び図２に示すＳは印鑑スタンドで、印鑑スタンドＳは、キャップ１１付き印鑑１を被吸着面２に立設させるのみならず、片手でキャップ１１を外し、捺印を可能としたものである。
即ち、印鑑１の先端は、キャップ１１で着脱自在に覆うようになっている。この印鑑１は、インクが印面内部から供給され、捺印する度にインクを付着する必要のない印鑑で、例えば、シャチハタ株式会社製、商品名Ｘスタンパー（登録商標）である。
【００１８】
また、３は、可撓弾性を有し、被吸着面２に吸着保持される吸盤体で、吸盤体３は、合成樹脂、ゴム等からなり、吸盤体３の弾性復元作用によって被取付面２との間が負圧状態に保持されることにより被吸着面２に吸着保持されるものである。
また、４は、キャップ１１に密着してキャップ１１を捕捉する捕捉部で、捕捉部４は、吸盤体３に取り付けられ、具体的には、吸盤体３の頂部に取り付けられ、捕捉部４は底部４１と筒形状部４２が一体となった有底筒形状であって、底部４１と筒形状部４２に亘る開口部４３が設けられている。そして、捕捉部４のキャップ１１の受入部の形状は、略円であり、平面視において、捕捉部４の前記略円の外側に吸盤体３の外周縁部が位置している（図３参照）。つまり、吸盤体３の外周縁部がなす円が捕捉部４の前記略円より大きい構成となっている。
【００１９】
従って、上述した図１乃至図３記載の印鑑スタンドＳは、吸盤体３を被吸着面２に吸着させ［吸着は、例えば、図４（ａ）の状態から図４（ｂ）の状態のように、印鑑１の先端のキャップ１１を捕捉部４に挿入して行う。なお、吸着は、これに限らず、手で吸盤体３を被吸着面２に吸着させるようにしても良い。］、印鑑１の先端のキャップ１１を捕捉部４に挿入し、印鑑１を使用する時に、印鑑１を吸盤体３に向かって強く押し、吸盤体３から遠ざかるように印鑑１を引き上げれば、キャップ１１は、捕捉部４に捕捉され、印鑑スタンドＳからキャップ１１が外れた印鑑１を取り出して［図４（ｂ）］、捺印することができる。
つまり、印鑑１の先端を覆うキャップ１１と該キャップ１１を捕捉する捕捉部４とをそれぞれ別個に形成しているため、印鑑１の使用用途に応じて、例えば、捺印することが多い場合には、印鑑スタンドＳに印鑑１を装着して使用し、また、印鑑１のみが必要な場合、吸盤体４を被吸着面２に残したまま、先端をキャップ１１で覆った印鑑１のみを持ち運ぶことができる。
なお、特に、印鑑１を安定して立設するのみならず、被吸着面２の凹凸により吸盤体３が被吸着面２に吸着されにくい場合にも対応できるように、吸盤体３の外周縁部が捕捉部４の前記略円より大きい構成としている。
即ち、被吸着面２の凹凸面により、吸盤体３が被吸着面２に吸着されにくい場合［図６（ａ）（ｂ）（ｃ）（ｄ）］、印鑑１がキャップ１１を介して捕捉部４に収納されている状態で、印鑑１を吸盤体３に向かって強く押し［図６（ａ）（ｂ）］、吸盤体３が扁平状態の時［図６（ｂ）］に、印鑑１を吸盤体３から遠ざかるように印鑑１を引き上げると瞬間的に吸盤効果が得られ、印鑑１のキャップ１１を捕捉部４に残して、印鑑１からキャップ１１を分離することができる［図６（ｃ）（ｄ）］。
【００２０】
また、捕捉部４は底部４１と筒形状部４２が一体となった有底筒形状であって、底部４１と筒形状部４２に亘る開口部４３が設けられているため、捕捉部４３に捕捉されたキャップ１１を開口部４３を介して、例えば、図５に示すように、捕捉部４内に棒状部材１０を挿入して、捕捉部４からキャップ１１を容易に離脱させることができる。
【００２１】
なお、上述した実施例（図１乃至図６）においては、捕捉部４で捕捉できるキャップ１１を有した印鑑、例えば、印鑑１の直径が約１７mmの１種類にのみ対応できるが、上述した実施例の印鑑１より一回り小さい、例えば、直径が約１５mmの印鑑１’には適用できない場合がある。
かかる場合に対応できるように、捕捉部４内に収納できる第２の捕捉部４’を別途用意している。この第２の捕捉部４’は、捕捉部４で捕捉できない小さい第２のキャップ１１’に密着して第２のキャップ１１’を捕捉するようにしている（図７乃至図１１）。
この実施例（図７乃至図１１）の印鑑スタンドＳ’においても、上述した図１乃至図６記載の印鑑スタンドＳと同様、吸盤体３を被吸着面２に吸着させ、印鑑１’の先端のキャップ１１’を捕捉部４内に収納した第２の捕捉部４’に挿入し、印鑑１’を使用する時に、印鑑１’を吸盤体３に向かって強く押し、吸盤体３から遠ざかるように印鑑１’を引き上げれば、キャップ１１’は、第２の捕捉部４’に捕捉され、印鑑スタンドＳ’からキャップ１１’が外れた印鑑１’を取り出して［図９（ａ）（ｂ）］、捺印することができる。
また、捕捉部４に捕捉された第２の捕捉部４’を開口部４３を介して、例えば、図１０に示すように、捕捉部４内に棒状部材１０を挿入して、捕捉部４から第２の捕捉部４’を容易に離脱させることができる。
【００２２】
また、この実施例（図７乃至図１１）においても、上述した実施例（図１乃至図６）と同様、被吸着面２の凹凸面により、吸盤体３が被吸着面２に吸着されにくい場合［図１１（ａ）（ｂ）（ｃ）（ｄ）］、印鑑１’がキャップ１１’を介して第２の捕捉部４’に収納されている状態で、印鑑１’を吸盤体３に向かって強く押し［図１１（ａ）（ｂ）］、吸盤体３が扁平状態の時［図１１（ｂ）］に、印鑑１’を吸盤体３から遠ざかるように印鑑１’を引き上げると瞬間的に吸盤効果が得られ、印鑑１’のキャップ１１’を第２の捕捉部４’に残して、印鑑１’からキャップ１１’を分離することができる［図１１（ｃ）（ｄ）］。
【００２３】
なお、上述した実施例（図９）の第２の捕捉部４’においては、上述した実施例（図４）の印鑑１より一回り小さい、例えば、直径が約１５mmの印鑑１’に、適用できると共に、第２の捕捉部４’内に、第３の捕捉部４’Ａを設けて、図９の印鑑１’より一回り小さい、例えば、直径が約１１mmの印鑑１”にも適用できるようにしている［図１２（ａ）（ｂ）］。
即ち、印鑑スタンドＳ”の第２の捕捉部４’には、第２のキャップ１１’を捕捉する部位の他に、印鑑１”の第３のキャップ１１”を捕捉する部位（第３の捕捉部４’Ａ）を設けている。なお、第３のキャップ１１”を捕捉する部位（第３の捕捉部４’Ａ）の内径は、第２のキャップ１１’を捕捉する部位の内径より小となっている。
【符号の説明】
【００２４】
Ｓ      印鑑スタンド
１      印鑑
２      被吸着面
３      吸盤体
４      捕捉部
１１    キャップ
【図１】
0005520711.tif 000002
【図２】
0005520711.tif 000003
【図３】
0005520711.tif 000004
【図４】
0005520711.tif 000005
【図５】
0005520711.tif 000006
【図６】
0005520711.tif 000007
【図７】
0005520711.tif 000008
【図８】
0005520711.tif 000009
【図９】
0005520711.tif 000010
【図１０】
0005520711.tif 000011
【図１１】
0005520711.tif 000012
【図１２】
0005520711.tif 000013